(57)【要約】【課題】マスターモードの画像信号線駆動回路に異常が発生した場合でもスレーブモードの画像信号線駆動回路によるバックアップが可能となる表示装置を提供する。【解決手段】画像信号線駆動回路１１および１２のそれぞれは、自らおよび他の画像信号線駆動回路を制御する制御信号を生成するタイミングコントローラ２５を有し、画像信号線駆動回路１１および１２のうち、マスターが、スレーブの画像信号線駆動回路に制御信号を与える機能を有すると共に、自らの動作異常を検出する異常検出回路３１および自らをマスターの画像信号線駆動回路、あるいはスレーブの画像信号線駆動回路に設定するマスター／スレーブ切替回路４２を有し、異常検出回路３１は、異常を検出した場合にマスター／スレーブ切替信号４１を出力して、スレーブモードの画像信号線駆動回路をマスターモードとし、マスターモードの画像信号線駆動回路をスレーブモードとする。【選択図】図４
2014085614.tif 000002
【特許請求の範囲】
【請求項１】
複数の画像信号線と複数の走査線とがマトリクス状に形成された表示パネルと、
前記表示パネルの周辺に配置され、前記複数の画像信号線を駆動する複数の画像信号線駆動回路と、
前記表示パネルの周辺に配置され、前記複数の走査線を駆動する走査線駆動回路と、を備え、
前記複数の画像信号線駆動回路のそれぞれは、
自らおよび他の画像信号線駆動回路を制御する制御信号を生成するタイミングコントローラを有し、前記複数の画像信号線駆動回路のうち、マスターモードの画像信号線駆動回路が、スレーブモードの画像信号線駆動回路に前記制御信号を与える機能を有すると共に、自らの動作異常を検出する異常検出回路および自らを前記マスターモードの画像信号線駆動回路、あるいは前記スレーブモードの画像信号線駆動回路に設定するマスター／スレーブ切替回路を有し、
前記異常検出回路は、異常を検出した場合にマスター／スレーブ切替信号を出力して前記マスターモードの画像信号線駆動回路の前記マスター／スレーブ切替回路および前記スレーブモードの画像信号線駆動回路の前記マスター／スレーブ切替回路に与え、前記スレーブモードの画像信号線駆動回路をマスターモードとし、前記マスターモードの画像信号線駆動回路をスレーブモードとする、表示装置。
【請求項２】
前記異常検出回路は、
前記マスターモードの画像信号線駆動回路内の異常検出回路であって、
少なくとも前記タイミングコントローラの消費電流異常を検出する、請求項１記載の表示装置。
【請求項３】
前記異常検出回路は、
前記マスターモードの画像信号線駆動回路内の異常検出回路であって、
前記制御信号の周期および電圧レベルの異常を検出する、請求項１記載の表示装置。
【請求項４】
前記異常検出回路は、
前記スレーブモードの画像信号線駆動回路内の異常検出回路であって、
前記マスターモードの画像信号線駆動回路から与えられる前記制御信号の周期および電圧レベルの異常を検出する、請求項１記載の表示装置。
【請求項５】
複数の画像信号線と複数の走査線とがマトリクス状に形成された表示パネルと、
前記表示パネルの周辺に配置され、前記複数の画像信号線を駆動する複数の画像信号線駆動回路と、
前記表示パネルの周辺に配置され、前記複数の走査線を駆動する走査線駆動回路と、
前記複数の画像信号線駆動回路および前記走査線駆動回路の外部に設けられ、前記複数の画像信号線駆動回路のうち少なくとも１つの動作異常を検出する異常検出回路と、を備え、
前記複数の画像信号線駆動回路のそれぞれは、
自らおよび他の画像信号線駆動回路を制御する制御信号を生成するタイミングコントローラを有し、前記複数の画像信号線駆動回路のうち、マスターモードの画像信号線駆動回路が、スレーブモードの画像信号線駆動回路に前記制御信号を与える機能を有すると共に、自らを前記マスターモードの画像信号線駆動回路、あるいは前記スレーブモードの画像信号線駆動回路に設定するマスター／スレーブ切替回路を有し、
前記異常検出回路は、前記マスターモードの画像信号線駆動回路に接続され、異常を検出した場合にマスター／スレーブ切替信号を出力して前記マスターモードの画像信号線駆動回路の前記マスター／スレーブ切替回路および前記スレーブモードの画像信号線駆動回路の前記マスター／スレーブ切替回路に与え、前記スレーブモードの画像信号線駆動回路をマスターモードとし、前記マスターモードの画像信号線駆動回路をスレーブモードとする、表示装置。
【請求項６】
複数の画像信号線と複数の走査線とがマトリクス状に形成された表示パネルと、
前記表示パネルの周辺に配置され、前記複数の画像信号線を駆動する複数の画像信号線駆動回路と、
前記表示パネルの周辺に配置され、前記複数の走査線を駆動する走査線駆動回路と、
前記複数の画像信号線駆動回路および前記走査線駆動回路の外部に設けられ、前記複数の画像信号線駆動回路を、マスターモードの画像信号線駆動回路、あるいはスレーブモードの画像信号線駆動回路に設定するマスター／スレーブ切替回路と、を備え、
前記複数の画像信号線駆動回路のそれぞれは、
自らおよび他の画像信号線駆動回路を制御する制御信号を生成するタイミングコントローラを有し、前記複数の画像信号線駆動回路のうち、前記マスターモードの画像信号線駆動回路が、前記スレーブモードの画像信号線駆動回路に前記制御信号を与える機能を有すると共に、自らの動作異常を検出する異常検出回路を有し、
前記異常検出回路は、異常を検出した場合に、マスター／スレーブ切替信号を出力して前記マスター／スレーブ切替回路に与え、前記スレーブモードの画像信号線駆動回路をマスターモードとし、前記マスターモードの画像信号線駆動回路をスレーブモードとする、表示装置。
【請求項７】
前記制御信号は、
前記複数の走査線駆動回路に与えられるカスケード信号およびゲート制御信号を含み、
前記複数の画像信号線駆動回路のそれぞれは、
前記スレーブモードの画像信号線駆動回路がマスターモードとなった場合に、新たなマスターモードの画像信号線駆動回路が出力する前記カスケード信号および前記ゲート制御信号を受けて、前記走査線駆動回路に与える伝送回路を有する、請求項１、５および６の何れか１項に記載の表示装置。
【発明の詳細な説明】
【技術分野】
【０００１】
本発明は液晶表示装置等の表示装置に関し、特に、アクティブマトリクス型の表示装置に関する。
【背景技術】
【０００２】
液晶表示装置等の表示装置は、昨今では、家庭用ＴＶから産業用ディスプレイまで幅広い分野で使用されている。
【０００３】
例えば、液晶表示装置の構成は、液晶パネルと、液晶パネルを駆動する駆動装置とに大別される。従来の駆動装置は、複数の画像信号線駆動回路と、複数の走査線駆動回路と、これらの駆動回路を駆動する制御回路としてのタイミングコントローラとを含んでいる。
【０００４】
各画像信号線駆動回路は液晶パネルの画像信号線を駆動するための集積回路であり、当該集積回路を複数個用いて液晶パネルの全ての画像信号線を駆動する。同様に、各走査線駆動回路は液晶パネルの走査線を駆動するための集積回路であり、当該集積回路を複数個用いて液晶パネルの全ての走査線を駆動する。
【０００５】
タイミングコントローラは、画像データと、画像信号線駆動回路および走査線駆動回路を制御する際の基準となる制御基準信号と、処理を行う際の基準となるドットクロック（ＤＣＬＫ）とを受け取る。上記の制御基準信号には、液晶パネルの水平方向の同期を取るための基準信号として用いられる水平同期信号（ＨＤ）、液晶パネルの垂直方向の同期を取るための基準信号として用いられる垂直同期信号（ＶＤ）、画像データが有効である期間を示すデータイネーブル信号（ＤＥＮＡ）等が含まれる。
【０００６】
昨今では、特許文献１に開示されるように、タイミングコントローラを搭載した（内蔵した）画像信号線駆動回路が開発されている。かかる画像信号線駆動回路によれば、タイミングコントローラ用の回路基板が不要になるので、部材コストを削減することができる。その結果、液晶表示装置の低価格化を図ることができる。
【０００７】
ここで、タイミングコントローラを内蔵した画像信号線駆動回路は液晶表示装置に複数個設けられる。しかし、タイミングコントローラ自体は１つあれば足りる。このため、複数の画像信号線駆動回路のうちの１つをマスターモードで用い、残りの画像信号線駆動回路をスレーブモードで用いる。より具体的は、マスターモードの画像信号線駆動回路は自身のタイミングコントローラに基づいて動作し、スレーブモードの画像信号線駆動回路はマスターモードの画像信号線駆動回路のタイミングコントローラから制御信号を受けて動作する。この場合、スレーブモードの画像信号線駆動回路のタイミングコントローラを停止させることによって、消費電力を低減することができる。
【先行技術文献】
【特許文献】
【０００８】
【特許文献１】特開２０１０−１９０９３２号公報
【発明の概要】
【発明が解決しようとする課題】
【０００９】
タイミングコントローラを内蔵した画像信号線駆動回路は、低コストを目的にタブレット端末やノー型トＰＣ等の民生向けに展開されており、今後も、車載向けなど、更なる適用拡大が見込まれている。
【００１０】
しかし、上述したように、スレーブモードの画像信号線駆動回路では、タイミングコントローラの機能は、停止しているか、一部の動作にとどまり、有効的に機能していなかった。
【００１１】
本発明は上記のような問題点を解消するためになされたもので、マスターモードの画像信号線駆動回路に異常が発生した場合でもスレーブモードの画像信号線駆動回路によるバックアップが可能となる表示装置を提供することを目的とする。
【課題を解決するための手段】
【００１２】
本発明に係る表示装置の態様は、複数の画像信号線と複数の走査線とがマトリクス状に形成された表示パネルと、前記表示パネルの周辺に配置され、前記複数の画像信号線を駆動する複数の画像信号線駆動回路と、前記表示パネルの周辺に配置され、前記複数の走査線を駆動する走査線駆動回路とを備え、前記複数の画像信号線駆動回路のそれぞれは、自らおよび他の画像信号線駆動回路を制御する制御信号を生成するタイミングコントローラを有し、前記複数の画像信号線駆動回路のうち、マスターモードの画像信号線駆動回路が、スレーブモードの画像信号線駆動回路に前記制御信号を与える機能を有すると共に、自らの動作異常を検出する異常検出回路および自らを前記マスターモードの画像信号線駆動回路、あるいは前記スレーブモードの画像信号線駆動回路に設定するマスター／スレーブ切替回路を有し、前記異常検出回路は、異常を検出した場合にマスター／スレーブ切替信号を出力して前記マスターモードの画像信号線駆動回路の前記マスター／スレーブ切替回路および前記スレーブモードの画像信号線駆動回路の前記マスター／スレーブ切替回路に与え、前記スレーブモードの画像信号線駆動回路をマスターモードとし、前記マスターモードの画像信号線駆動回路をスレーブモードとする。
【発明の効果】
【００１３】
本発明に係る表示装置によれば、画像信号線駆動回路の異常を検出し、自動的に、スレーブモードの画像信号線駆動回路をマスターモードに切り替えるので、マスターに異常が発生した場合のスレーブによるバックアップ動作が可能となる。
【図面の簡単な説明】
【００１４】
【図１】液晶表示装置の概略構成を示すブロック図である。
【図２】画像信号線駆動回路の内部構成を示すブロック図である。
【図３】マスターの画像信号線駆動回路に異常が発生した場合のスレーブの画像信号線駆動回路によるバックアップを説明する図である。
【図４】本発明に係る実施の形態１の液晶表示装置の画像信号線駆動回路に含まれる、異異常検出回路の構成を示すブロック図である。
【図５】マスター／スレーブ切替回路の構成を示すブロック図である。
【図６】本発明に係る実施の形態１の液晶表示装置における画像信号線駆動回路の構成と、信号の流れを示す図である。
【図７】本発明に係る実施の形態２の液晶表示装置の画像信号線駆動回路に含まれる、異常検出回路の構成を示す図である。
【図８】本発明に係る実施の形態３の液晶表示装置の画像信号線駆動回路に含まれる、異常検出回路の構成を示す図である。
【図９】本発明に係る実施の形態３の液晶表示装置における画像信号線駆動回路の構成と、信号の流れを示す図である。
【図１０】本発明に係る実施の形態４の液晶表示装置における画像信号線駆動回路の構成と、接続基板上に設けられた異常検出回路および信号の流れを示す図である。
【図１１】本発明に係る実施の形態５の液晶表示装置における画像信号線駆動回路の構成と、接続基板上に設けられたマスター／スレーブ切替回路および信号の流れを示した図である。
【図１２】本発明に係る実施の形態の液晶表示装置における画像信号線駆動回路の構成と、接続基板上に設けられた配線部での信号の流れを示した図である。
【発明を実施するための形態】
【００１５】
＜実施の形態１＞
図１は、液晶表示装置１０の概略構成を示すブロック図であり、画像信号線１０１と走査線１０２とがマトリクス状に形成された液晶パネル９を駆動するための周辺回路を示している。なお、液晶表示装置１０は、画像信号線１０１と走査線１０２との交差部に薄膜トランジスタ（ＴＦＴ）等のアクティブ素子が設けられたアクティブマトリクス型の表示装置であるが、この構成については従来的なものであるので説明は省略する。また、以下では液晶表示装置として説明するが、本発明はアクティブマトリクス型の表示装置であれば適用可能であり、液晶表示装置に限定されるものではなく、プラズマディスプレイや有機ＥＬディスプレイ等にも適用可能である。
【００１６】
画像信号線１０１を駆動するための画像信号線駆動回路１１および１２と、走査線１０２を駆動するための走査線駆動回路１３（「ゲートドライバ」と呼称）が、液晶パネル９の周囲に設けられている。なお、図１では、便宜的に画像信号線駆動回路は２つ、走査線駆動回路は１つしか示していないが、現実的には、それぞれ多数が配置されている。
【００１７】
画像信号線駆動回路１１および１２は、どちらもタイミングコントローラを内蔵しているが、この例では画像信号線駆動回路１１をマスターモードの画像信号線駆動回路（「マスター」と呼称）とし、画像信号線駆動回路１２をスレーブモードの画像信号線駆動回路（「スレーブ」と呼称）としている。
【００１８】
画像信号線駆動回路１１は、外部から処理を行う際の基準となるドットクロック（ＤＣＬＫ）や、液晶パネルの水平方向の同期を取るための基準信号として用いられる水平同期信号（ＨＤ）、液晶パネルの垂直方向の同期を取るための基準信号として用いられる垂直同期信号（ＶＤ）、画像データが有効である期間を示すデータイネーブル信号（ＤＥＮＡ）等を含む制御基準信号を受け、それらに基づいて画像信号線駆動回路１２を制御する制御信号を生成して配線部１４を介して画像信号線駆動回路１２に与え、また走査線駆動回路１３を制御する制御信号を生成して配線部１５を介して走査線駆動回路１３に与える構成となっている。
【００１９】
図２は、画像信号線駆動回路１１および１２の内部構成を示すブロック図である。なお、両者の構成は同じであるので、参照符合も同じとする。
【００２０】
図２に示すように、画像信号線駆動回路１１（および１２）は、ガンマ（Gamma）生成回路２１、入力データ・デコーダー回路２２、制御信号インターフェース回路２３、電源回路２４、タイミングコントローラ２５、カスケード信号／制御信号生成回路２６、ソースドライバー回路２７、ゲートドライバー用制御信号生成回路２８を有している。
【００２１】
タイミングコントローラ２５は、入力データ・デコーダー回路２２および制御信号インターフェース回路２３に接続され、画像データと、画像信号線駆動回路および走査線駆動回路を制御する際の基準となる制御基準信号と、処理を行う際の基準となるドットクロックを受け取り、ソースドライバー回路２７およびゲートドライバー用制御信号生成回路２８に与える制御信号を生成する回路である。
【００２２】
ガンマ生成回路２１は、画像データに対してガンマ補正を行う回路であり、入力データ・デコーダー回路２２は、入力データをデコードする回路であり、制御信号インターフェース回路２３は、制御信号のインターフェース回路である。
【００２３】
また、カスケード信号／制御信号生成回路２６は、走査線駆動回路のカスケード接続された複数のシフトレジスタを制御するカスケード信号を生成する回路であり、走査線駆動回路１３に与えられる。
【００２４】
ソースドライバー回路２７は、画像信号線を駆動する回路であり、ゲートドライバー用制御信号生成回路２８は、走査線駆動回路１３に与えるゲート制御信号を生成する回路である。
【００２５】
図２において、画像信号線駆動回路１１と１２とは配線部１４を介して接続され、画像信号線駆動回路１２はスレーブとして動作するので、タイミングコントローラ２５、カスケード信号／制御信号生成回路２６およびゲートドライバー用制御信号生成回路２８は不使用状態にある。
【００２６】
しかし、図３に示すように、画像信号線駆動回路１１のタイミングコントローラ２５、カスケード信号／制御信号生成回路２６およびゲートドライバー用制御信号生成回路２８の何れかに異常が発生した場合、スレーブ側の画像信号線駆動回路１２のタイミングコントローラ２５、カスケード信号／制御信号生成回路２６およびゲートドライバー用制御信号生成回路２８が使用状態となり、画像信号線駆動回路１２がマスターモードとなる。
【００２７】
このようにスレーブモードの画像信号線駆動回路によるバックアップを可能とする構成について説明する。
【００２８】
図４は、画像信号線駆動回路１１に含まれる消費電流に対する異常検出回路３１の構成を示している。異常検出回路３１は、タイミングコントローラ２５の電源入力部に接続され、電流−電圧変換（ＩＶ変換）により、タイミングコントローラ２５の消費電流を電圧に変換するＩＶ変換回路３１１と、コンパレータ３１２とを有している。
【００２９】
ＩＶ変換回路３１１の出力電圧は、コンパレータ３１２に与えられ、コンパレータ３１２において予め定められた参照電圧と比較される。そして、ＩＶ変換回路３１１の出力電圧が参照電圧よりも高いような場合は、タイミングコントローラ２５の消費電流が増大したものとしてマスター／スレーブ切替信号４１を出力する構成となっている。なお、上記ではタイミングコントローラ２５の消費電流が増大した場合に異常として検出する構成を示したが、消費電流が既定値よりも減少した場合も異常として検出しても良い。
【００３０】
また、異常の検出は、タイミングコントローラ２５に限定されるものではなく、カスケード信号／制御信号生成回路２６やゲートドライバー用制御信号生成回路２８の異常を検出する構成としても良い。
【００３１】
図５は、画像信号線駆動回路１２に含まれるマスター／スレーブ切替回路４２の構成を示すブロック図である。マスター／スレーブ切替回路４２は、マスター／スレーブ切替信号４０および４１を受け、画像信号線駆動回路１２をスレーブモード、またはマスターモードに切り替える回路であり、切り替え信号がタイミングコントローラ２５、カスケード信号／制御信号生成回路２６およびゲートドライバー用制御信号生成回路２８に与えられる構成となっている。切り替え信号が与えられたこれらの回路（タイミングコントローラ部を構成する回路）は、動作中（マスターモード）であれば動作を停止してスレーブモードとなり、停止中（スレーブモード）であれば動作を開始してマスターモードとなる。
【００３２】
なお、画像信号線駆動回路１１にも同じマスター／スレーブ切替回路４２を有しており、マスター／スレーブ切替信号４１によりマスターモードからスレーブモードに切り替わることとなる。
【００３３】
マスター／スレーブ切替信号４０は、画像信号線駆動回路１２をマスターとして動作させるか、スレーブとして動作させるかを設定する信号であり、画像信号線駆動回路１１をマスターとなる場合は、画像信号線駆動回路１２はスレーブとして動作するようにマスター／スレーブ切替信号４０が与えられる。
【００３４】
一方、マスター／スレーブ切替信号４１は、画像信号線駆動回路１１に異常が発生した場合に画像信号線駆動回路１１から与えられる信号であり、画像信号線駆動回路１２をマスターモードに切り替えると共に、画像信号線駆動回路１２のタイミングコントローラ２５、カスケード信号／制御信号生成回路２６およびゲートドライバー用制御信号生成回路２８を動作させる。
【００３５】
図６は、実施の形態１の液晶表示装置１０における画像信号線駆動回路１１および１２の構成と、信号の流れを示した図である。図６に示すように、マスターとして動作する画像信号線駆動回路１２のカスケード信号／制御信号生成回路２６で生成されたカスケード信号および、ゲートドライバー用制御信号生成回路２８で生成されたゲート制御信号は、画像信号線駆動回路１１に与えられ、画像信号線駆動回路１１内のゲート信号カスケード信号伝送回路５１を経由して走査線駆動回路１３に与えられる。
【００３６】
このような構成を採ることで、スレーブとして動作する画像信号線駆動回路がマスターとなった場合でも、カスケード信号およびゲート制御信号を走査線駆動回路１３に与えることができる。
【００３７】
このように、本発明に係る実施の形態１の液晶表示装置によれば、消費電流に対してマスターモードの画像信号線駆動回路の異常を検出し、自動的に、スレーブモードの画像信号線駆動回路をマスターモードに切り替え、カスケード信号およびゲート制御信号を生成するので、マスターに異常が発生した場合のスレーブによるバックアップ動作（Fail-Safe）を可能にすることができる。
【００３８】
＜実施の形態２＞
図７は、本発明に係る実施の形態２の液晶表示装置の画像信号線駆動回路１１に含まれる、異常検出回路６１の構成を示す図である。異常検出回路６１は、制御信号（タイミングコントローラ２５、カスケード信号／制御信号生成回路２６やゲートドライバー用制御信号生成回路２８で生成される）の周期や電圧レベル等の異常を検知する回路であり、タイミングコントローラ２５、カスケード信号／制御信号生成回路２６およびゲートドライバー用制御信号生成回路２８の出力する制御信号の信号周期を検出するカウンター６１１と、カウンター６１１に接続されたコンパレータ６１２を有している。また、タイミングコントローラ２５、カスケード信号／制御信号生成回路２６およびゲートドライバー用制御信号生成回路２８の出力する制御信号の電圧レベルを検出するコンパレータ６１３と、コンパレータ６１２およびコンパレータ６１３の出力を増幅して出力する増幅器６１４とを有している。
【００３９】
カウンター６１１で検出された信号周期は、コンパレータ６１２において予め定められた信号周期と比較され、カウンター６１１で検出された信号周期が既定値よりも低い、あるいは高いような場合は、制御信号に異常があるものとして増幅器６１４からマスター／スレーブ切替信号６２を出力する構成となっている。
【００４０】
また、タイミングコントローラ２５、カスケード信号／制御信号生成回路２６およびゲートドライバー用制御信号生成回路２８の出力する制御信号の電圧レベルがコンパレータ６１３において予め定められた電圧レベルと比較され、制御信号の電圧レベルが既定値よりも低い、あるいは高いような場合は、制御信号に異常があるものとして増幅器６１４からマスター／スレーブ切替信号６２を出力する構成となっている。
【００４１】
なお、画像信号線駆動回路１２には、図５に示したマスター／スレーブ切替回路４２が設けられており、マスター／スレーブ切替信号４１の代わりにマスター／スレーブ切替信号６２が与えられる構成となっている。マスター／スレーブ切替信号６２が与えられたマスター／スレーブ切替回路４２は、実施の形態１と同様の動作を行い、マスターとして動作する画像信号線駆動回路１２のカスケード信号／制御信号生成回路２６で生成されたカスケード信号および、ゲートドライバー用制御信号生成回路２８で生成されたゲート制御信号は、画像信号線駆動回路１１に与えられ、画像信号線駆動回路１１内のゲート信号カスケード信号伝送回路５１（図６）を経由して走査線駆動回路１３に与えられる。
【００４２】
このように、本発明に係る実施の形態２の液晶表示装置によれば、制御信号に対してマスターモードの画像信号線駆動回路の異常を検出し、自動的に、スレーブモードの画像信号線駆動回路をマスターモードに切り替え、カスケード信号およびゲート制御信号を生成するので、マスターに異常が発生した場合のスレーブによるバックアップ動作（Fail-Safe）を可能にすることができる。
【００４３】
＜実施の形態３＞
図８は、本発明に係る実施の形態３の液晶表示装置の画像信号線駆動回路１２に含まれる、異常検出回路７１の構成を示す図である。異常検出回路７１は、マスターとして動作する画像信号線駆動回路１１から与えられる制御信号（タイミングコントローラ２５、カスケード信号／制御信号生成回路２６やゲートドライバー用制御信号生成回路２８で生成される）の周期や電圧レベル等の異常を検知する回路であり、画像信号線駆動回路１１から与えられる制御信号の信号周期を検出するカウンター７１１と、カウンター７１１に接続されたコンパレータ７１２を有している。また、画像信号線駆動回路１１から与えられる制御信号の電圧レベルを検出するコンパレータ７１３と、コンパレータ７１２およびコンパレータ７１３の出力を増幅して出力する増幅器７１４とを有している。
【００４４】
カウンター７１１で検出された信号周期は、コンパレータ７１２において予め定められた信号周期と比較され、カウンター７１１で検出された信号周期が既定値よりも低い、あるいは高いような場合は、制御信号に異常があるものとして増幅器７１４からマスター／スレーブ切替信号７２を出力する構成となっている。
【００４５】
また、画像信号線駆動回路１１から与えられる制御信号の電圧レベルがコンパレータ１３において予め定められた電圧レベルと比較され、制御信号の電圧レベルが既定値よりも低い、あるいは高いような場合は、制御信号に異常があるものとして増幅器７１４からマスター／スレーブ切替信号７２を出力する構成となっている。
【００４６】
そして、画像信号線駆動回路１２において、画像信号線駆動回路１１から与えられる制御信号の周期や電圧レベル等の異常を検知した場合は、増幅器７１４から出力されるマスター／スレーブ切替信号７２に基づいて、自らがマスターとして動作を開始すると共に、画像信号線駆動回路１１にもマスター／スレーブ切替信号７２を与える。
【００４７】
なお、画像信号線駆動回路１２には、図５に示したマスター／スレーブ切替回路４２が設けられており、マスター／スレーブ切替信号４１の代わりにマスター／スレーブ切替信号７２が与えられる構成となっている。マスター／スレーブ切替信号７２が与えられたマスター／スレーブ切替回路４２は、実施の形態１と同様の動作を行い、マスターとして動作する画像信号線駆動回路１２のカスケード信号／制御信号生成回路２６で生成されたカスケード信号および、ゲートドライバー用制御信号生成回路２８で生成されたゲート制御信号は、画像信号線駆動回路１１に与えられ、画像信号線駆動回路１１内のゲート信号カスケード信号伝送回路５１（図６）を経由して走査線駆動回路１３に与えられる。
【００４８】
また、画像信号線駆動回路１１には、図５に示したマスター／スレーブ切替回路４２が設けられており、マスター／スレーブ切替信号４１の代わりにマスター／スレーブ切替信号７２が与えられる構成となっている。そして、画像信号線駆動回路１２からマスター／スレーブ切替信号７２が与えられた場合は、マスターモードからスレーブモードに切り替わることとなる。
【００４９】
図９は、実施の形態３の液晶表示装置１０における画像信号線駆動回路１１および１２の構成と、信号の流れを示した図である。図９に示すように、マスターとして動作する画像信号線駆動回路１２のカスケード信号／制御信号生成回路２６で生成されたカスケード信号および、ゲートドライバー用制御信号生成回路２８で生成されたゲート制御信号は、画像信号線駆動回路１１に与えられ、画像信号線駆動回路１１内のゲート信号カスケード回路５１を経由して走査線駆動回路１３に与えられる。
【００５０】
このように、本発明に係る実施の形態３の液晶表示装置によれば、マスターとして動作する画像信号線駆動回路１１から与えられる制御信号の異常を画像信号線駆動回路１２において検出し、自動的に、スレーブモードの画像信号線駆動回路をマスターモードに切り替え、カスケード信号およびゲート制御信号を生成するので、マスターに異常が発生した場合のスレーブによるバックアップ動作（Fail-Safe）を可能にすることができる。
【００５１】
また、異常の検出を、異常を呈している画像信号線駆動回路１１内で行うのではなく、画像信号線駆動回路１２内で行うことにより、正確な異常検出が可能となる。
【００５２】
＜実施の形態４＞
図１０は、実施の形態４の液晶表示装置１０における画像信号線駆動回路１１および１２の構成と、ＦＰＣ（Flexible Printed Circuit）等の接続基板９１上に設けられた異常検出回路３１および信号の流れを示した図である。図１０に示すように、接続基板９１上に設けられた異常検出回路３１は、マスターとして動作する画像信号線駆動回路１１のタイミングコントローラ２５の異常を検出した場合にはマスター／スレーブ切替信号４１を出力する回路であり、その構成は、図４を用いて説明した異常検出回路３１と同じである。
【００５３】
また、画像信号線駆動回路１２はマスター／スレーブ切替回路４２を有しており、画像信号線駆動回路１１の異常を検出した異常検出回路３１から出力されるマスター／スレーブ切替信号４１がマスター／スレーブ切替回路４２に与えられると、画像信号線駆動回路１２をマスターモードに切り替えると共に、画像信号線駆動回路１２のタイミングコントローラ２５、カスケード信号／制御信号生成回路２６およびゲートドライバー用制御信号生成回路２８を動作させる。なお、マスター／スレーブ切替信号４１は画像信号線駆動回路１１に設けられたマスター／スレーブ切替回路４２（図示せず）にも与えられ、画像信号線駆動回路１１は、マスター／スレーブ切替信号４１によりマスターモードからスレーブモードに切り替わることとなる。
【００５４】
そして、画像信号線駆動回路１２のカスケード信号／制御信号生成回路２６で生成されたカスケード信号および、ゲートドライバー用制御信号生成回路２８で生成されたゲート制御信号は、画像信号線駆動回路１１に与えられ、画像信号線駆動回路１１内のゲート信号カスケード信号伝送回路５１を経由して走査線駆動回路１３に与えられる。
【００５５】
なお、異常の検出は、タイミングコントローラ２５に限定されるものではなく、カスケード信号／制御信号生成回路２６やゲートドライバー用制御信号生成回路２８の異常を検出する構成としても良い。
【００５６】
また、異常検出回路３１の配設位置は接続基板９１上に限定されるものではなく、画像信号線駆動回路１１および１２を搭載するガラス基板上に配設しても良い。
【００５７】
このように、本発明に係る実施の形態４の液晶表示装置によれば、異常の検出を、異常を呈している画像信号線駆動回路１１内で行うのではなく、接続基板９１上やガラス基板上に設けた異常検出回路３１で行うことにより、正確な異常検出が可能となる。
【００５８】
＜実施の形態５＞
図１１は、実施の形態５の液晶表示装置１０における画像信号線駆動回路１１および１２の構成と、ＦＰＣ等の接続基板９１上に設けられたマスター／スレーブ切替回路４２および信号の流れを示した図である。図１１に示すように、接続基板９１上に設けられたマスター／スレーブ切替回路４２は、マスターとして動作する画像信号線駆動回路１１の内部に設けた異常検出回路３１が、例えばタイミングコントローラ２５の異常を検出した場合に出力するマスター／スレーブ切替信号４１を受け、画像信号線駆動回路１２をスレーブモード、またはマスターモードに切り替える回路であり、その構成は、図５に示したマスター／スレーブ切替回路４２と同じである。なお、マスター／スレーブ切替信号４１からの切り替え信号は画像信号線駆動回路１１にも与えられ、画像信号線駆動回路１１は、マスターモードからスレーブモードに切り替わることとなる。
【００５９】
画像信号線駆動回路１１の異常を検出した異常検出回路３１から出力されるマスター／スレーブ切替信号４１がマスター／スレーブ切替回路４２に与えられると、マスター／スレーブ切替回路４２は、画像信号線駆動回路１２を、マスターモードに切り替えると共に、画像信号線駆動回路１２のタイミングコントローラ２５、カスケード信号／制御信号生成回路２６およびゲートドライバー用制御信号生成回路２８を動作させる。
【００６０】
そして、画像信号線駆動回路１２のカスケード信号／制御信号生成回路２６で生成されたカスケード信号および、ゲートドライバー用制御信号生成回路２８で生成されたゲート制御信号は、画像信号線駆動回路１１に与えられ、画像信号線駆動回路１１内のゲート信号カスケード信号伝送回路５１を経由して走査線駆動回路１３に与えられる。
【００６１】
なお、マスター／スレーブ切替回路４２の配設位置は接続基板９１上に限定されるものではなく、画像信号線駆動回路１１および１２を搭載するガラス基板上に配設しても良い。
【００６２】
このように、本発明に係る実施の形態５の液晶表示装置によれば、マスター／スレーブ切替回路４２を、画像信号線駆動回路１１および１２とは別の場所に設けることで、画像信号線駆動回路１１および１２の小型化を図ることができる。
【００６３】
＜実施の形態６＞
図１２は、実施の形態６の液晶表示装置１０における画像信号線駆動回路１１および１２の構成と、ＦＰＣ等の接続基板９１上に設けられた配線部１４での信号の流れを示した図である。
【００６４】
図１１に示すように、接続基板９１上には、マスターとして動作する画像信号線駆動回路１１の内部に設けた異常検出回路３１が、例えばタイミングコントローラ２５の異常を検出した場合に出力するマスター／スレーブ切替信号４１を送信する配線部１６、および画像信号線駆動回路１１の異常動作時に、マスターとして動作する画像信号線駆動回路１２のカスケード信号／制御信号生成回路２６で生成されたカスケード信号および、ゲートドライバー用制御信号生成回路２８で生成されたゲート制御信号等の制御信号を送信する配線部１４が配設されている。
【００６５】
このように、本発明に係る実施の形態６の液晶表示装置によれば、マスター／スレーブ切替信号４１を送信する配線部１６や制御信号を送信する配線部１４をＦＰＣ等の接続基板９１上に設けることで、それらをガラス基板上に設ける場合に比べて低抵抗することができ、液晶表示装置の信頼性を高めることができる。
【００６６】
なお、本発明は、その発明の範囲内において、各実施の形態を自由に組み合わせたり、各実施の形態を適宜、変形、省略することが可能である。
【符号の説明】
【００６７】
９  表示パネル、１１，１２  画像信号線駆動回路、１３  走査線駆動回路、３１，６１，７１  異常検出回路、４１  マスター／スレーブ切替信号、４２  マスター／スレーブ切替回路、１０１  画像信号線、１０２  走査線。
【図１】
2014085614.tif 000003
【図２】
2014085614.tif 000004
【図３】
2014085614.tif 000005
【図４】
2014085614.tif 000006
【図５】
2014085614.tif 000007
【図６】
2014085614.tif 000008
【図７】
2014085614.tif 000009
【図８】
2014085614.tif 000010
【図９】
2014085614.tif 000011
【図１０】
2014085614.tif 000012
【図１１】
2014085614.tif 000013
【図１２】
2014085614.tif 000014